(57)【特許請求の範囲】
【請求項１】
複数のインクジェットヘッドのノズルからインクを吐出して記録するインクジェット記録装置であって、前記複数のインクジェットヘッド別に設けられた複数の第１の密閉手段によって各インクジェットヘッドのノズル面全体を覆って密閉し、１台の吸引ポンプによって前記複数の第１の密閉手段のそれぞれを介して各インクジェットヘッドのノズル内の残留インクを同時に吸引し、インクジェットヘッドの流路を確保してインクジェットヘッドの噴射を安定させる印字機構維持回復装置において、
前記第１の密閉手段の内部に設けられ、前記第１の密閉手段によるインク吸引動作が行われないようにノズルを覆って密閉する第２の密閉手段と、
前記第１の密閉手段と前記第２の密閉手段との連通をインク吸引動作に応じて制御する連通制御手段と、
前記第１の密閉手段に設けられ、前記吸引ポンプと連通する吸引管とを
有することを特徴とする印字機構維持回復装置。
【請求項２】
前記第１の密閉手段の内部を大気開放する大気開放弁機構を設けた請求項１記載の印字機構維持回復装置。
【請求項３】
前記第1の密閉手段と前記第２の密閉手段とを一体構造で形成する請求項１記載の印字機構維持回復装置。
【請求項４】
前記第１の密閉手段と前記第２の密閉手段はキャップ形状の弾性部材で形成される請求項１〜３のいずれかに記載の印字機構維持回復装置。
【請求項５】
前記第１の密閉手段のキャップ開口端がノズル面に接したとき前記第２の密閉手段のキャップ開口端がノズル面に接していないように前記第１の密閉手段と前記第２の密閉手段の各キャップ開口端の高さに差を設ける請求項４記載の印字機構維持回復装置。
【請求項６】
前記第1の密閉手段と前記第２の密閉手段との間の連通を制御する連通弁を設ける請求項１〜５のいずれかに記載の印字機構維持回復装置。
【請求項７】
吸引動作時は、前記第１の密閉手段をノズル面に接触させる第１の密閉動作、前記第２の密閉手段をノズル面に接触させる第２の密閉動作の順に行うように各動作を制御する密閉動作制御機構を有する請求項１〜６のいずれかに記載の印字機構維持回復装置。
【請求項８】
前記第１の密閉動作完了後ノズルからの所定のインク量のインク吸引を行い、第２の密閉動作完了後吸引した所定のインク量のみのインクを排出する請求項７記載の印字機構維持回復装置。
【請求項９】
吸引動作終了時は、前記第２の密閉手段をノズル面から離間させる第１の離間動作、前記第１の密閉手段をノズル面から離間させる第２の離間動作の順に行うように各動作を制御する密閉動作制御機構を有する請求項１〜６のいずれかに記載の印字機構維持回復装置。
【請求項１０】
前記密閉動作制御機構は、前記第１の密閉手段をノズル面に対して往復移動させる第１の移動機構と、前記第２の密閉手段をノズル面に対して往復移動させる第２の移動機構とを有する請求項７又は９に記載の印字機構維持回復装置。
【請求項１１】
前記第１、第２の移動機構は、カム面の高低差をもって移動する請求項１０記載の印字機構維持回復装置。
【請求項１２】
前記第１、第２の移動機構は、弾性部材の弾性力をもって移動する請求項１０記載の印字機構維持回復装置。
【請求項１３】
前記弾性部材は圧縮バネである請求項１２記載の印字機構維持回復装置。
【請求項１４】
請求項１〜１３のいずれかの印字機構維持回復装置を有することを特徴とするインクジェット記録装置。
【発明の詳細な説明】
【０００１】
【発明の属する技術分野】
本発明は印字機構維持回復装置及びそれを使用したインクジェット記録装置に関し、特にインクジェット記録装置のインクヘッドの噴射状態を維持、回復させる印字機構維持回復装置の改良に関する。
【０００２】
【従来の技術】
インクジェット記録装置では、装置が休止状態にあるときにはヘッドを包含するキャリッジがホームポジションに待機しており、更にホームポジションに待機するヘッドのノズル外面には増粘や乾燥したインクや異物の付着などで目詰まりを起こすことがある。また、ノズルの内部では気泡が発生するなどによりエアーダンパー現象が発生するなどで、正常なインク噴射ができなくなるため、ノズル面を密閉するキャップをかぶせている。更に、インクジェット記録装置には、適宜そのキャップ内に連通する負圧発生手段によってノズルからヘッド内に充填されているインクを吸い出す動作を行うことにより、液室内の気泡や増粘インク、付着ごみなどを取り除き、安定したインク噴射可能状態にする維持回復装置が設けられている。
【０００３】
【発明が解決しようとする課題】
しかしながら、複数のヘッドを持つカラーインクジェットプリンタの場合は、ヘッド毎にキャップを持ち、それらに連通した共通のポンプで吸引するため、例えば黒、シアン、マゼンタ、イエローの４色ヘッドがあるカラープリンタの場合に黒だけを回復させようとしても、シアン、マゼンタ、イエローの３色分のインクまで吸引してしまうため、インクの浪費になるという第１の問題点がある。また、吸引した廃インクをプリンタ内の廃液タンクに蓄積させるため、必然的に大きな廃液タンクが必要になり、本体サイズが大きくなるという第２の問題点がある。更に、常に４色分のインクを吸引させるために、大きいサイズのポンプが必要になり、駆動源モータは大きいものが必要となり、それに対応したドライバも大型のものが必要となるため、部品コストが高くなるという第３の問題点があった。
【０００４】
本発明はこれらの問題を解決するためのものであり、インクの浪費を抑え、本体サイズを大きくすることなく、部品コストを高くすることなく、インクの噴射を安定させる印字機構維持回復装置及びそれを使用したインクジェット記録装置を提供することを目的とする。
【０００５】
【課題を解決するための手段】
前記問題点を解決するために、複数のインクジェットヘッドのノズルからインクを吐出して記録するインクジェット記録装置であって、複数のインクジェットヘッド別に設けられた複数の第１の密閉手段によって各インクジェットヘッドのノズル面全体を覆って密閉し、１台の吸引ポンプによって複数の第１の密閉手段のそれぞれを介して各インクジェットヘッドのノズル内の残留インクを同時に吸引し、インクジェットヘッドの流路を確保してインクジェットヘッドの噴射を安定させる、本発明の印字機構維持回復装置によれば、第１の密閉手段の内部に設けられ、第１の密閉手段によるインク吸引動作が行われないようにノズルを覆って密閉する第２の密閉手段と、第１の密閉手段と第２の密閉手段との連通をインク吸引動作に応じて制御する連通制御手段と、第１の密閉手段に設けられ、吸引ポンプと連通する吸引管とを有することに特徴がある。よって、維持回復動作の不要なヘッド分までインク吸引をしなくて済むため、インクの浪費を防ぐことができ、これに伴って廃棄インク貯留のための廃液タンクも小さくて済み、装置全体の小型化が図れる。
【０００６】
また、第１の密閉手段の内部を大気開放する大気開放弁機構を設けたことにより、維持回復動作であるインク吸引終了後更に残負圧状態による不要な吸引によってのインクの浪費を未然に防ぐことができる。
【０００７】
更に、第１の密閉手段と第２の密閉手段とを一体構造で形成し、更にキャップ形状の弾性部材で形成することにより、部品コストを抑えることができる。
【０００８】
また、第１の密閉手段のキャップ開口端がノズル面に接したとき第２の密閉手段のキャップ開口端がノズル面に接していないように第１の密閉手段と第２の密閉手段の各キャップ開口端の高さに差を設けた方が望ましい。
【０００９】
更に、第１の密閉手段と第２の密閉手段との間の連通を制御する連通弁を設け、吸引動作に応じて連通弁を開閉することが望ましい。
【００１０】
また、吸引動作時は、第1の密閉手段をノズル面に接触させる第１の密閉動作、第２の密閉手段をノズル面に接触させる第２の密閉動作の順に行うように各動作を制御する密閉動作制御機構を有し、第１の密閉動作完了後ノズルからの所定のインク量のインク吸引を行い、第２の密閉動作完了後吸引した所定のインク量のみのインクを排出することが望ましい。
【００１１】
更に、吸引動作終了時は、第２の密閉手段をノズル面から離間させる第１の離間動作、第１の密閉手段をノズル面から離間させる第２の離間動作の順に行うように各動作を制御する密閉動作制御機構を有し、この密閉動作制御機構は、第１の密閉手段をノズル面に対して往復移動させる第１の移動機構と、第２の密閉手段をノズル面に対して往復移動させる第２の移動機構とを有することが望ましい。
【００１２】
また、第１、第２の移動機構は、カム面の高低差をもって移動する。第１、第２の移動機構は、弾性部材の弾性力をもって移動する。弾性部材は圧縮バネである。よって、簡単な構造で実現できる。
【００１３】
本発明に係るインクジェット記録装置は、上記印字機構維持回復装置を有することを特徴とする。
【００１４】
【発明の実施の形態】
複数のインクジェットヘッドのノズルからインクを吐出して記録するインクジェット記録装置であって、複数のインクジェットヘッド別に設けられた複数の第１の密閉手段によって各インクジェットヘッドのノズル面全体を覆って密閉し、１台の吸引ポンプによって複数の第１の密閉手段のそれぞれを介して各インクジェットヘッドのノズル内の残留インクを同時に吸引し、インクジェットヘッドの流路を確保してインクジェットヘッドの噴射を安定させる、本発明の印字機構維持回復装置は、第１の密閉手段の内部に設けられ、第１の密閉手段によるインク吸引動作が行われないようにノズルを覆って密閉する第２の密閉手段と、第１の密閉手段と第２の密閉手段との連通をインク吸引動作に応じて制御する連通制御手段と、第１の密閉手段に設けられ、吸引ポンプと連通する吸引管とを有する。よって、共通の吸引ポンプに連通していても吸引するヘッドと吸引しないヘッドを個別に動作制御でき、インク浪費を抑え、小型化を図り、部品コストを抑えることができる。
【００１５】
【実施例】
図１は本発明の一実施例に係るインクジェット記録装置の構成を示す概略断面図である。同図に示すように、カラー画像を記録するインクジェット記録装置３１は、シアンＣ、マゼンタＭ、イエローＹ、ブラックＢＫの各色のインクをそれぞれ収納した４個のインクカートリッジ３２と、複数のノズルを有し各カートリッジ３２からインクが供給される４個の記録ヘッド３３と、インクカートリッジ３２とインクジェットヘッド３３を搭載したキャリッジ３４と、記録紙を収納した給紙トレイ３５ａ，３５ｂや手差しテーブル３６から記録紙を印字部３７に搬送する搬送ローラ３８と、印字した記録紙を排紙トレイ３９に排出する排出ローラ４０を有する。そして、ホスト装置から送られてくる画像データを記録紙に印字するときは、キャリッジ３４をキャリッジローラ４１に倣って走査しながら、搬送ローラ３８により印字部３７に送られた記録紙に記録ヘッド３３のノズルから画像データに応じてインクを噴射して文字や画像を記録する。そして、このような記録ヘッド３３を走査するキャリッジ３４のホームポジションには、インクジェットヘッド３３と連結する、図２〜図１７に示す印字機構維持回復装置が設けられている。
【００１６】
図２及び図３は別の発明の第１の実施例に係る印字機構維持回復装置の構成を示す断面図である。両図に示す第１の実施例の印字機構維持回復装置は、主走査ロッド１が側板２に固定され、主走査方向に走行するキャリッジ３があり、それには複数（本実施例では２個）のヘッド４ａ，４ｂとインクカートリッジ５ａ，５ｂが搭載されている。それぞれのヘッド４ａ，４ｂにはノズル面７ａ，７ｂの中央にノズル６ａ，６ｂ(列)があり、図３に示すように、印字休止中や待機中、または維持回復動作中に外側キャップ９ａ，９ｂを外側キャップリフト１３ａ，１３ｂにより下方よりノズル面７ａ，７ｂに押しつけて各ノズル面全体を密閉する。更に、外側キャップ９ａ，９ｂの内部には、ノズル面７ａ，７ｂに接触するように可動してノズル６ａ，６ｂを密閉するための内側キャップ８ａ，８ｂが設けられ、内側キャップ８ａ，８ｂは内側キャップリフト１４ａ，１４ｂにより個別に可動する。外側キャップ９ａ，９ｂには１個のポンプ１１に連通するキャップ内吸引チューブ１０ａ，１０ｂがそれぞれ取り付けられ、維持回復動作の吸引時（負圧発生状態）には外側キャップ９ａ，９ｂ内に負圧を生じさせる。予め内側キャップ８ａがノズル面７ａに密着しているヘッド４ａの場合（図３参照）は、ノズル６ａに負圧が生じていないためインクが吸引されない。一方、内側キャップ８ｂがノズル面７ｂに接触していない状態、つまり内側キャップリフト１４ｂを下方に下げた状態においては、ノズル６ｂに負圧がかかるため、ヘッド４ｂ内のインクは吸引されて吐出し、ヘッド液室内（図示せず）の気泡や増粘インク、ノズル近傍の付着ゴミなどがインクと共に流出する。流出した廃インクはキャップ内吸引チューブ１０ｂを通じてポンプ１１に達し、更には廃液チューブ１２よりしかるべき廃液タンク（図示せず）などに廃インクとして貯留される。なお、複数の外側キャップ９ａ，９ｂは同時に上昇、下降をしてもかまわないため図示の外キャップリフト１３ａ，１３ｂは各色一体になることが望ましい。ただし、内側キャップ８ａ，８ｂは各色独立して個別にかつ自在に動作することができるようになっている。
【００１７】
図４及び図５は別の発明の第２の実施例に係る印字機構維持回復装置の構成を示す断面図である。両図に示す第２の実施例の印字機構維持回復装置は、個々の外側キャップ９ａ，９ｂ毎に設けられた大気開放チューブ１５ａ，１５ｂと、外側キャップ９ａ，９ｂ内が負圧状態であっても大気開放させることができる大気開放弁１６ａ，１６ｂを有する。大気開放弁１６ａ，１６ｂにより外側キャップ９ａ，９ｂ内が負圧状態であっても大気開放させることができるため、図５に示すように、外側キャップ９ａ，９ｂ内に負圧が生じた状態から外側キャップ９ａ，９ｂを外す際に生じる、急激な圧力変動と外側キャップ９ａ，９ｂ内の乱流とにより、ノズルのメニスカスが壊れるなどの現象による印字不良になることを防ぐことができる。
【００１８】
図６及び図７は別の発明の第３の実施例に係る印字機構維持回復装置の構成を示す断面図である。両図に示す第３の実施例の印字機構維持回復装置は、内側キャップ８’ａと外側キャップ９’ａとが一体構造となっているキャップ１７ａと、内側キャップ８’ｂと外側キャップ９’ｂとが一体構造となっているキャップ１７ｂとを有する。また、キャップ内吸引チューブ１０ａ，１０ｂのそれぞれは、外側キャップ９’ａ，９’ｂの各内側であって、内側キャップ８’ａ，８’ｂの各外側に設けられている。更に、内側キャップ８’ａと外側キャップ９’ａとは内外連通弁１８ａを中間に置いたチューブで連通されて、かつ内側キャップ８’ｂと外側キャップ９’ｂとは内外連通弁１８ｂを中間に置いたチューブで連通している。ヘッド毎にある内外連通弁１８ａ，１８ｂは各色独立して動作することができるようになっている。また、キャップリフト１９ａ，１９ｂのそれぞれはキャップ１７ａ，１７ｂのそれぞれをヘッド４ａ，４ｂ側である上方に押し上げるためのリフトである。このような構造を有する第３の実施例の印字機構維持回復装置において、図７に示すように、各キャップリフト１９ａ，１９ｂが各キャップ１７ａ，１７ｂをヘッド４ａ，４ｂ側に押し上げて、キャップ１７ａ，１７ｂのそれぞれが各ノズル面７ａ、７ｂに密着する。そして、吸引するヘッド、例えばヘッド４ａのノズル６ａに負圧が生じさせるために、内外連通弁１８ａを開き、内側キャップ８’ａ内と外側キャップ９’ａ内とが連通した状態で、インク吸引を行う。すると、内側キャップ８’ａ内と外側キャップ９’ａ内が負圧状態となり、ヘッド４ａ内のインクは吸引されて内側キャップ８’ａ内、外連通弁１８ａ、そして外側キャップ９’ａ内を通って吐出し、ヘッド液室内（図示せず）の気泡や増粘インク、ノズル近傍の付着ゴミなどがインクと共に流出される。一方、吸引されないヘッド、例えばヘッド４ｂのノズル６ｂに負圧が生じさせないために、内外連通弁１８ｂを閉じ、内側キャップ８’ｂ内と外側キャップ９’ｂ内とが連通していない状態となり、インク吸引が行われても、少なくとも内側キャップ８’ｂ内は負圧状態とならないのでインクは吸引されない。
【００１９】
図８〜図１０は別の発明の第４の実施例に係る印字機構維持回復装置の構成を示す断面図である。図８〜図１０に示す第４の実施例の印字機構維持回復装置の内側キャップ８ａ（８ｂ）と外側キャップ９ａ（９ｂ）とは、第１の実施例と同構造のものに、第２の実施例の大気開放弁１６と連通する大気開放チューブ１５が付加されていて、更に外側キャップ９ａの下にキャップリフトがあり、外側キャップアクチェータ１９ａと一体になっている。また、内側キャップ８ａは底部に内側キャプアクチェータ２０ａが一体になっている。更に、外側キャップアクチェータ１９ａと内側キャプアクチェータ２０ａは、円盤状のカム２１ａに接触し、そのカム面に従動しながら上下方向に動作する。図８に示す状態は、外側キャップアクチェータ１９ａと内側キャプアクチェータ２０ａの両方がカム２１ａの低い面に接しており、内側キャップ８ａと外側キャップ９ａの両方がノズル面７ａから離間している。そして、図８に示すように、カム２１ａが矢印方向に移動すると、図９に示すように、外側キャップアクチェータ１９ａだけがカム２１ａの高い面に接しているので、外側キャップ９ａだけがノズル面７ａに接触してノズル面全体を密閉状態にしている。そして、図９に示すように、カム２１ａが矢印方向に更に移動すると、外側キャップアクチェータ１９ａと内側キャプアクチェータ２０ａの両方がカム２１ａの高い面に接しているので、内側キャップ８ａと外側キャップ９ａの両方がノズル面７ａに接触し密閉状態にしている。従って、内外側のキャップの上下動はカム２１ａによって時間的なずれを生じさせることができる。そして、ヘッド毎に図９と図１０の状態にしておけば図示していない共通のポンプを吸引動作させることにより、図９の状態ではノズル６ａからインクを吸引することができ、図１０の状態では吸引できない。
【００２０】
図１１〜図１４は別の発明の第５の実施例に係る印字機構維持回復装置の構成を示す断面図である。図１１〜図１４に示す第５の実施例の印字機構維持回復装置によれば、外側キャップ９ａの下側には外側キャップホルダ２２ａがあり、内側キャップ８ａの下側には内側キャッププランジャ２３ａがあり、その中間には圧縮バネ２４ａで互いに反発し合うようにしている。図１１の状態は内側キャッププランジャ２３ａが下に下がった状態で内側キャップ８ａと外側キャップ９ａの両方がノズル面７ａから離間している。図１２の状態は内側キャッププランジャ２３ａがストロークの途中まで上昇した状態で、内側キャップ８ａと外側キャップ９ａの上下位置関係がそのままの状態で上昇するため、まだ外側キャップ９ａのみがノズル面７ａに接触している状態であり、インク吸引可能状態である。そして、図１３の状態は内側キャッププランジャ２３ａがストロークの最上位置まで上昇した状態で、圧縮バネ２４ａが圧縮され、内側キャップ８ａと外側キャップ９ａの両方がノズル面７ａに接触している状態であり、インク吸引不可能状態である。このように、同一方向に動く内側の密着手段と外側の密着手段とが可動ストローク中の位置に応じて連通を開閉する。なお、図１４に示すように、吸引不可能状態である図１３の状態から図１１又は図１２の状態にするためには、先ず大気開放弁１５ａを開いて外側キャップ９ａ内の負圧状態を大気状態にした後内側キャップ８ａを下降させ、インク吸引を行わないノズルから不要なインクが吐出することを防ぐ。また、１ヘッド当たりの構成を示しているが、この構成を複数持ち、外側キャップホルダ２２ａだけは一体構造にすれば、同時に複数の外側キャップがノズル面に密着し、その後個別の内側キャッププランジャ２３ａが独立して最上位置まで上昇することにより、選択的にノズル面７ａを密閉することができるので、図示していないポンプを動作させれば、密閉していない内側キャップ８ａのヘッド４ａのインクのみが吸引される。
【００２１】
図１５〜図１７は別の発明の第６の実施例に係る印字機構維持回復装置の構成を示す断面図である。図１５〜図１７に示す第６の実施例の印字機構維持回復装置によれば、内側キャップ８ａと外側キャップ９ａを弾性体で一体構造になっているキャップ２５ａを有している。また、キャップ２５ａの底面にはキャップホルダ２６ａがあり、更に下側にキャッププランジャ２７ａがあってキャップホルダ２６ａを、そしてキャップ２５ａを上下に動かす。更に、内側キャップ８ａの上端は外側キャップ９ａの上端よりも低い。なお、外側キャップ９ａの断面形状は、本実施例では外側にテーパが付いているが、内側でもかまわない。図１５の状態はキャップ２５ａが下がった状態で、まだキャップ２５ａの内側及び外側のキャップともにノズル面７ａには接していない。図１６の状態はキャッププランジャ２７ａがストロークの途中まで上昇した状態で、外側キャップ９ａの先端のみがノズル面７ａに接触している状態であり、インク吸引可能状態である。図１７の状態はキャッププランジャ２７ａがストロークの最上位置まで上昇した状態で、内側キャップ８ａ及び外側キャップ９ａの先端は共にノズル面７ａに接触し、そして外側キャップ９ａの先端は更に押しつけられるために外側に広がるように屈曲する状態であり、インク吸引不可能状態である。
【００２２】
なお、本発明は上記実施例に限定されるものではなく、特許請求の範囲内の記載であれば多種の変形や置換可能であることは言うまでもない。
【００２３】
【発明の効果】
以上説明したように、複数のインクジェットヘッドのノズルからインクを吐出して記録するインクジェット記録装置であって、複数のインクジェットヘッド別に設けられた複数の第１の密閉手段によって各インクジェットヘッドのノズル面全体を覆って密閉し、１台の吸引ポンプによって複数の第１の密閉手段のそれぞれを介して各インクジェットヘッドのノズル内の残留インクを同時に吸引し、インクジェットヘッドの流路を確保してインクジェットヘッドの噴射を安定させる、本発明の印字機構維持回復装置によれば、第１の密閉手段の内部に設けられ、第１の密閉手段によるインク吸引動作が行われないようにノズルを覆って密閉する第２の密閉手段と、第１の密閉手段と第２の密閉手段との連通をインク吸引動作に応じて制御する連通制御手段と、第１の密閉手段に設けられ、吸引ポンプと連通する吸引管とを有することに特徴がある。よって、維持回復動作の不要なヘッド分までインク吸引をしなくて済むため、インクの浪費を防ぐことができ、これに伴って廃棄インク貯留のための廃液タンクも小さくて済み、装置全体の小型化が図れる。
【００２４】
また、第１の密閉手段の内部を大気開放する大気開放弁機構を設けたことにより、維持回復動作であるインク吸引終了後更に残負圧状態による不要な吸引によってのインクの浪費を未然に防ぐことができる。
【００２５】
更に、第１の密閉手段と第２の密閉手段とを一体構造で形成し、更にキャップ形状の弾性部材で形成することにより、部品コストを抑えることができる。
【００２６】
また、第１の密閉手段のキャップ開口端がノズル面に接したとき第２の密閉手段のキャップ開口端がノズル面に接していないように第１の密閉手段と第２の密閉手段の各キャップ開口端の高さに差を設けた方が望ましい。
【００２７】
更に、第１の密閉手段と第２の密閉手段との間の連通を制御する連通弁を設け、吸引動作に応じて連通弁を開閉することが望ましい。
【００２８】
また、吸引動作時は、第1の密閉手段をノズル面に接触させる第１の密閉動作、第２の密閉手段をノズル面に接触させる第２の密閉動作の順に行うように各動作を制御する密閉動作制御機構を有し、第１の密閉動作完了後ノズルからの所定のインク量のインク吸引を行い、第２の密閉動作完了後吸引した所定のインク量のみのインクを排出することが望ましい。
【００２９】
更に、吸引動作終了時は、第２の密閉手段をノズル面から離間させる第１の離間動作、第１の密閉手段をノズル面から離間させる第２の離間動作の順に行うように各動作を制御する密閉動作制御機構を有し、この密閉動作制御機構は、第１の密閉手段をノズル面に対して往復移動させる第１の移動機構と、第２の密閉手段をノズル面に対して往復移動させる第２の移動機構とを有することが望ましい。
【００３０】
また、第１、第２の移動機構は、カム面の高低差をもって移動する。第１、第２の移動機構は、弾性部材の弾性力をもって移動する。弾性部材は圧縮バネである。よって、簡単な構造で実現できる。
【００３１】
本発明に係るインクジェット記録装置は、上記印字機構維持回復装置を有することを特徴とする。
【図面の簡単な説明】
【図１】本発明の一実施例に係るインクジェット記録装置の構成を示す概略断面図である。
【図２】別の発明の第１の実施例に係る印字機構維持回復装置の構成を示す断面図である。
【図３】別の発明の第１の実施例に係る印字機構維持回復装置の構成を示す断面図である。
【図４】別の発明の第２の実施例に係る印字機構維持回復装置の構成を示す断面図である。
【図５】別の発明の第２の実施例に係る印字機構維持回復装置の構成を示す断面図である。
【図６】別の発明の第３の実施例に係る印字機構維持回復装置の構成を示す断面図である。
【図７】別の発明の第３の実施例に係る印字機構維持回復装置の構成を示す断面図である。
【図８】別の発明の第４の実施例に係る印字機構維持回復装置の構成を示す断面図である。
【図９】別の発明の第４の実施例に係る印字機構維持回復装置の構成を示す断面図である。
【図１０】別の発明の第４の実施例に係る印字機構維持回復装置の構成を示す断面図である。
【図１１】別の発明の第５の実施例に係る印字機構維持回復装置の構成を示す断面図である。
【図１２】別の発明の第５の実施例に係る印字機構維持回復装置の構成を示す断面図である。
【図１３】別の発明の第５の実施例に係る印字機構維持回復装置の構成を示す断面図である。
【図１４】別の発明の第５の実施例に係る印字機構維持回復装置の構成を示す断面図である。
【図１５】別の発明の第６の実施例に係る印字機構維持回復装置の構成を示す断面図である。
【図１６】別の発明の第６の実施例に係る印字機構維持回復装置の構成を示す断面図である。
【図１７】別の発明の第６の実施例に係る印字機構維持回復装置の構成を示す断面図である。
【符号の説明】
１：主走査ロッド、２：側板、３：キャリッジ、４ａ，４ｂ：ヘッド、
５ａ，５ｂ：インクカートリッジ、６ａ，６ｂ：ノズル、
７ａ，７ｂ：ノズル面、８ａ，８ｂ，８’ａ，８’ｂ：内側キャップ、
９ａ，９ｂ，９’ａ，９’ｂ：外側キャップ、
１０ａ，１０ｂ：キャップ内吸引チューブ、１１：ポンプ、
１２：廃液チューブ、１３ａ，１３ｂ：外側キャップリフト、
１４ａ，１４ｂ：内側キャップリフト、１５ａ，１５ｂ：大気開放チューブ、
１６ａ，１６ｂ：大気開放弁、１７ａ，１７ｂ：キャップ、
１８ａ，１８ｂ：内外連通弁、１９ａ：外側キャップアクチェータ、
２０ａ：内側キャプアクチェータ、２１ａ：カム、
２２ａ：外キャップホルダ、２３ａ：内キャッププランジャ、
２４ａ：圧縮バネ、２５ａ：キャップ、２６ａ：キャップホルダ、
２７ａ：キャッププランジャ。
【図１】
0004197822.tif 000002
【図２】
0004197822.tif 000003
【図３】
0004197822.tif 000004
【図４】
0004197822.tif 000005
【図５】
0004197822.tif 000006
【図６】
0004197822.tif 000007
【図７】
0004197822.tif 000008
【図８】
0004197822.tif 000009
【図９】
0004197822.tif 000010
【図１０】
0004197822.tif 000011
【図１１】
0004197822.tif 000012
【図１２】
0004197822.tif 000013
【図１３】
0004197822.tif 000014
【図１４】
0004197822.tif 000015
【図１５】
0004197822.tif 000016
【図１６】
0004197822.tif 000017
【図１７】
0004197822.tif 000018